(57)【要約】【課題】  導磁性金属体で吸着でき、便利に収納及び整理できる吸着式光ディスク保管装置を提供する。【解決手段】  一つの上蓋３１と、一つの下蓋３２とを含む。下蓋３２は上蓋３１に互いに覆い被せられ、その隙間に１枚以上の光ディスク収納空間が確保され、その内側は光ディスク３３の基準穴３３１に対応して、円柱体３４がそれぞれに張り出して設けられている。かかる張り出し円柱体３４の直径は光ディスク３３の基準穴３３１によってその周縁に固定され、張り出し円柱体３４の中心位置付近の場所に磁気部品３５が設けられている。磁気部品３５は、光ディスク保管装置３０を導磁性材質の金属パネル上に確実に吸着させる。さらに複数個の光ディスク保管装置３０は、互いに吸着し合い、整列して並べられ、便利に収納及び整理できる。【選択図】    図３
2005206244.tif 000002
【特許請求の範囲】
【請求項１】
一つの上蓋と、一つの下蓋とを備え、下蓋は上蓋に互いに覆い被せられ、その隙間に１枚以上の光ディスク収納空間が確保され、その内側は光ディスクの基準穴に対応して、円柱体がそれぞれに張り出して設けられ、当該張り出し円柱体の直径は光ディスクの基準穴によってその周縁に固定され、円柱体の中心位置付近の場所に磁気部品が設けられていることを特徴とする吸着式光ディスク保管装置。
【請求項２】
上蓋は、張り出し円柱体に対応する場所に磁気誘導材質の金属板がそれぞれ固接され、二つの蓋が互いに被せられて一体化されるとき、磁気部品は金属板に吸着されることを特徴とする請求項１記載の吸着式光ディスク保管装置。
【請求項３】
上蓋及び下蓋の周りに少なくとも一つ以上の互いに引っ掛け合わせるための掛け金がそれぞれ設けられていることを特徴とする請求項２記載の吸着式光ディスク保管装置。
【請求項４】
一体成型機構であり、上蓋と下蓋の一端面が連結していることを特徴とする請求項３記載の吸着式光ディスク保管装置。
【請求項５】
上蓋が下蓋に被せられるとき、下蓋は偏芯に位置もシフトされ、上蓋に取り付けられている掛け金は下蓋に取り付けられている掛け金の対応位置にシフトして、掛け金同士に適切な隙間を確保可能であり、このとき、下蓋に取り付けられている磁気部品の中心位置と上蓋の金属板の中心位置との間に偏芯状が構成され、磁気部品が金属板に吸着されるとき、二つの蓋は正しく被せられて一体となり、掛け金も互いに掛かり合うことを特徴とする請求項４記載の吸着式光ディスク保管装置。
【請求項６】
上蓋は、少なくとも一つ以上の光ディスク保護ための付属蓋が含まれることを特徴とする請求項５記載の吸着式光ディスク保管装置。
【請求項７】
金属板は、もう一つの磁気部品構成であることを特徴とする請求項５記載の吸着式光ディスク保管装置。
【請求項８】
一つの上蓋と、一つの下蓋とを備え、下蓋と上蓋は互いに覆い被せられ、
少なくとも１枚以上の基準板を有し、基準板は上蓋と下蓋との間に設けられ、一端の周縁は二つの蓋の一端の周縁と連結し、二つの蓋が互いに被せられた後、二つの蓋の隙間に一つの収納空間が形成され、基準板の内側に少なくとも一つ以上の張り出し円柱体が設けられ、当該張り出し円柱体の直径は光ディスクの中心位置に設けられている基準穴によって周縁に位置固定され、張り出し円柱体の中心位置付近に磁気部品が設けられていることを特徴とする吸着式光ディスク保管装置。
【請求項９】
上蓋の内側で基準板に対応した張り出し円柱体の場所に、導磁性材質の金属板が固設されていることを特徴とする請求項８記載の吸着式光ディスク保管装置。
【請求項１０】
下蓋の内側にもう一つの張り出し円柱体が設けられ、このもう一つの張り出し円柱体の直径は光ディスクの中心位置に設けられている基準穴によって周縁に固定され、その張り出し円柱体の中心位置付近に磁気部品が設けられていることを特徴とする請求項９記載の吸着式光ディスク保管装置。
【請求項１１】
上蓋及び下蓋の周りに少なくとも一つ以上の互いに引っ掛け合わせるための掛け金が設けられていることを特徴とする請求項１０記載の吸着式光ディスク保管装置。
【請求項１２】
基準板に一つの張り出し円柱体が設けられ、このもう一つの張り出し円柱体の直径は光ディスクの中心位置に設けられている基準穴によって周縁に位置固定され、その張り出し円柱体の中心位置付近に磁気部品が設けられていることを特徴とする吸着式光ディスク保管装置。
【請求項１３】
一つの上蓋を備え、
少なくとも２枚以上の基準板を有し、１枚の基準板の端面は上蓋の一端の周縁と連結して、上蓋は基準板に被せられて収納空間が形成され、基準板が上蓋に向かう端面に少なくとも１本以上の張り出し円柱体が設けられ、当該張り出し円柱体の直径は光ディスクの中心位置に設けられている基準穴によって円柱体の周縁に位置固定され、その張り出し円柱体の中心位置付近に磁気部品が設けられ、基準板の上、他の端面はもう一つの基準板の片側の端面と連結し、基準板がもう一つの基準板上に被せられ、収納空間が形成され、もう一つの基準板が基準板に向かう端面に少なくとももう一つの張り出し円柱体が設けられ、もう一つの張り出し円柱体の直径は他の光ディスク中央部に設けられている基準穴がもう一つの張り出し円柱体周縁に位置固定され、その付近にもう一つの張り出し円柱体の中心場所にもう一つの磁気部品が設けられていることを特徴とする吸着式光ディスク保管装置。
【請求項１４】
上蓋の内側に導磁性材質の金属板が固設され、上蓋が基準板に被せられるとき、磁気部品は金属板に吸着されることを特徴とする請求項１３記載の吸着式光ディスク保管装置。
【請求項１５】
上蓋及び基準板の周りに少なくとも一つ以上の互いに引っ掛け合わせるための掛け金がそれぞれ設けられていることを特徴とする請求項１３記載の吸着式光ディスク保管装置。
【請求項１６】
隣り合った基準板の周りに少なくとも一つ以上の互いに引っ掛け合わせるための掛け金がそれぞれ取り付けられていることを特徴とする請求項１４記載の吸着式光ディスク保管装置。
【請求項１７】
上蓋が基準板に被せられるとき、基準板に偏芯的なシフトを引き起し、上蓋上の掛け金は基準板上に取り付けられている掛け金の対応位置にシフトされ、掛け金の間に適切な隙間を確保可能であり、このとき、基準板上に取り付けられている磁気部品の中心位置と上蓋の金属板の中心位置は偏芯状を構成するため、磁気部品が金属板に吸着されるとき、両者は互いに被せられて一体になって、対応した掛け金は互いにかみ合うことを特徴とする請求項１５記載の吸着式光ディスク保管装置。
【請求項１８】
上蓋がもう一つの基準板に被せられるとき、もう一つの基準板に偏芯的なシフトを引き起し、上蓋の掛け金はもう一つの基準板上に取り付けられている掛け金の対応位置にシフトされ、掛け金の間に適切な隙間を確保可能であり、このとき、この基準板上の磁気部品の中心位置は偏芯状を構成するため、磁気部品が互いに吸着されるとき、基準板が蓋に被せられて一体化となり、対応した掛け金も互いにかみ合うことを特徴とする請求項１６記載の吸着式光ディスク保管装置。
【発明の詳細な説明】
【技術分野】
【０００１】
本発明は、一種の光ディスク保管装置の機構設計に関するもので、特に、一種の光ディスク保管装置を導磁性金属体に吸着させる機構設計である。
【背景技術】
【０００２】
近年、さまざまな光ディスク（ＣＤやＤＶＤなど）が引き続きで考案され、データ保存量が大きく、収納が便利であり、湿気による破壊を受け難いなどの長所があるため、業界と消費者に好まれて、各種の映像、音楽及びデジタル情報の保存に使用されている。さらに、従来のフレキシブルディスクに取り代わって、保存媒体の主流となりつつなる。現在、使用されている標準規格の光ディスクを一例として、その寸法は直径１２センチで、厚みは１ミリで、保存容量については、ＣＤ光ディスクは大体６５０〜７５０メガバイトであり、ＤＶＤ光ディスクは７〜８ギガバイトである。通常、これらの光ディスクの保管裝置は、硬質プラスチックス材料である通称のＣＤボックス（compact  disk  holder）１０を使用している。図１に示す通り、ＣＤボックス１０は、一つの上蓋１１と、一つの下蓋１２が含まれる。二つの蓋１１及び蓋１２の一端は枢接され、その間に光ディスク１３の収納空間を形成する。下蓋１２の内側に弾性のかん合体１４を張り出して取り付け、かん合体１４の寸法は光ディスク１３中央に開けた基準穴１３１に納め、光ディスク１３は下蓋１２の内側に固定される。この種のＣＤボックス１０は、通常に良く見られる光ディスク保管装置だが、長さが約１４．３センチで、幅が約１２．２センチで、厚みは１センチと体積が大きいため、本体の収納空間を大きくとっている。さらに、その材質がもろいことから、衝撃や床に落下するなどで、筐体の破損又は二つの蓋１１と蓋１２との間の枢接機構割れにより使用できず、もしくは、蓋の閉め具合が悪く、内部に保管された光ディスク１３の保護機能が失われる。
【０００３】
また、ある業者は、光ディスク保管装置に挿入式ＣＤボックス２０設計を取っている。図２に示す通り、ＣＤボックス２０は、プラスチックス製の密閉式の筐体より構成され、光ディスク２３挿入のため、筐体一端の周縁に長いノッチ２２を設けて、あらかじめ設置された弾性部品２４の制限により、ＣＤボックス２０に設けられた収納空間中に固定する。このような設計は、前記の枢接機構を省略し、その機構と操作がより簡素化する。しかし、光ディスクを保管するとき、光ディスク２３を長いノッチ２２よりＣＤボックス２０に挿入するため、ＣＤボックス２０側の二つの内壁は適切な間隔Ｔを確保し、光ディスク２３をＣＤボックス２０に挿入するとき、この二つの内壁面に当たって、光ディスク２３の表面が擦られるため、使用できなくなる。さらに、このような設計は、この種の光ディスク保管装置の厚みを大幅に縮小することができない。
【０００４】
また、近年にＣＤ−Ｒ、ＣＤ−Ｒ／Ｗが市販されてから、光ディスクによる映像、音楽及びデジタルデータなど大量情報の保存又は第三者に送るなどの場面が多くなってきている。結婚記念日、誕生日、スポーツ大会、同窓会及び作品発表会などの意義のある日に、マルチメディア用のソフトウエアを利用し、関係者の日常生活シーンを念入りに編集したセリフと音楽を吹き込み、光ディスクに録画して、ビデオディスクに保存しておき、親戚や友人に送ることは、今日のもっともファッション、しかも、もっとも記念価値に富むギフトになっている。堆積が小さくて機構が簡単で、装置の開閉と光ディスクの保管が容易かつ展示が便利な光ディスク保管装置は、本発明が解決する重要な課題である。
【発明の開示】
【発明が解決しようとする課題】
【０００５】
一種の吸着式光ディスク保管装置に関するもので、この光ディスク保管装置は、一つの上蓋及び一つの下蓋を有し、二つの蓋の寸法は互いに被せることに相応し、その隙間は１枚以上の光ディスク収納空間を確保し、二つの蓋のいずれもの内側に少なくとも１本以上の張り出し円柱体を設けて、張り出し円柱体の直径は光ディスクの基準穴によってその周縁に固定され、かつ、円柱体の中心位置付近の場所に磁気部品を設ける。そして、光ディスク保管装置は、磁気部品の働きにより、冷蔵庫、事務機器及びホワイトボードなどのいずれの導磁性材質の金属パネル上に確実に吸着して、展示の陳列など、いつでも使用できる。さらに、複数個の光ディスク保管装置は、互いに吸着し合い、整列して並べるか又は寄り掛かって、収納と整理を便利することが本発明の目的の一つである。
【０００６】
二つの蓋の中の張り出し円柱体を設けない蓋の表面の張り出し円柱体に対応する場所に、導磁性材質の金属板又はもう一つの磁気部品が固定されている。二つの蓋を互いに被せて一体化するとき、磁気部品は金属板又はもう一つの磁気部品の表面に吸着される。そして、二つの蓋の表面に掛け金を取りつけないまま、二つの蓋を緊密に蓋閉めできるため、光ディスク保管装置の組立機構及び作業を有効に簡略化できることが本発明のもう一つの目的である。
【０００７】
さらに、二つの蓋の周りに少なくとも一つ以上の互いに引っ掛け合わせるための掛け金を増設すると、二つの蓋が互いにかみ合い、対応した掛け金は磁気部品が金属板又はもう一つの磁気部品を吸着するとき、互いにかみ合い、二つの蓋が掛け金の働きよりも緊密に閉められて一体化になるほか、蓋の開閉がよりスムーズに行えることが本発明のさらに一つの目的である。
【０００８】
二つの蓋の間に少なくとも１枚以上の基準板を増設することにより、基準板の一端の周縁は、二つの蓋の一端の周縁と連結して、二つの蓋を閉めた後、基準板は二つの蓋より形成した収納空間内に収納される。基準板の内側に少なくとも１本以上の張り出し円柱体を設けて、張り出し円柱体の直径は光ディスクに設けたもう一つの基準穴によってその周縁に固定される。円柱体の中心位置付近の場所に磁気部品を設ける。これにより、隣り合った蓋と基準板（又は隣り合った基準板）の間は、磁気部品の働きにより確実に吸着し、光ディスクを隣り合った蓋と基準板（又は隣り合った基準板）の間に限定し、光ディスクが張り出し円柱体より落とされないことが本発明の目的の一つである。
【課題を解決するための手段】
【０００９】
本発明は、一つの上蓋と、一つの下蓋とを含み、下蓋は上蓋に互いに覆い被せられ、その隙間に１枚以上の光ディスク収納空間が確保され、その内側は光ディスクの基準穴に対応して、円柱体がそれぞれに張り出して設けられ、張り出し円柱体の直径は光ディスクの基準穴によってその周縁に固定され、円柱体の中心位置付近の場所に磁気部品が設けられていることを特徴とする。
【発明を実施するための最良の形態】
【００１０】
（実施例１)
本発明の一種の吸着式光ディスク保管装置の実施例１によると、図３に示す通り、光ディスク保管装置３０は、一つの上蓋３１及び一つの下蓋３２が含まれる。二つの蓋３１と蓋３２の寸法と形状は、二つを互いに被せることに相応している。二つの蓋３１と蓋３２を互いに被せた後、その隙間に１枚以上の光ディスク３３の収納空間を形成する。実施例１において、２枚の光ディスク３３を収納する光ディスク保管装置の例をもって、説明する。下蓋３２の内側は、光ディスク３３の中央に設けた基準穴３３１の位置に一つの張り出し円柱体３４を設け、張り出し円柱体３４の直径は光ディスク３３の基準穴３３１を張り出し円柱体３４の周縁に固定することに相応している。張り出し円柱体３４の中心位置の近くに一つの磁気部品３５を取り付ける。磁気部品３５は、光ディスク保管装置３０をいずれの導磁性材質の金属パネル上に確実に吸着させる。そして、本実施例の光ディスク保管装置３０は、冷蔵庫及びコンピュータ本体などの金属パネル表面上に固定できる。図４と図５に示す通り、さらに、複数個の光ディスク保管装置は、互いに吸着し合い、整列して並べるか又は寄り掛かって、収納と整理が便利になることを提供する。
【００１１】
実施例１において、図３に示す通り、二つの蓋３１と蓋３２は、一体成型機構で、その一端の側面を互いに連結し、二つの蓋３１と蓋３２の開閉を可能にする。ただし、本発明を応用するときに、これに限ることがなく、この分野の技術に詳しい者であれば、二つの蓋３１と蓋３２を別々に製作するか、又は、上蓋３１を光ディスクそれぞれに対応する付属蓋３１１と付着蓋３１２に分割することもできる。図６に示す通り、二つの蓋３１と蓋３２の寸法と形状は、互いに被せることに相応している。前記収納空間、張り出し円柱体３４及び磁気部品３５などの特徴を有し、１枚以上の光ディスク３３を収納可能なものは、本発明で請求する光ディスク保管装置に当たる。
【００１２】
（実施例２)
実施例２の光ディスク保管装置７０において、図７に示す通り、一つの上蓋７１及び一つの下蓋７２が含まれる。二つの蓋７１と蓋７２の寸法と形状は、両者を互いに被せることができる。さらに、二つの蓋７１と蓋７２を被せるとき、その隙間に１枚以上の光ディスク７３の収納空間７４が形成される。下蓋７２の内側に少なくとも一つ以上の張り出し円柱体７５を設け、張り出し円柱体７５の直径は光ディスク７３の基準穴７３１を張り出し円柱体７５の周縁に固定することに相応している。張り出し円柱体７５の中心位置の近くに一つの磁気部品７６を取り付ける。磁気部品７１は張り出し円柱体７５に対応する場所に導磁性材質の金属板（又はもう一つの磁気部品）７７を固設する。そして、二つの蓋７１と蓋７２を互いに被せて一体化するとき、下蓋７２上の磁気部品７６は上蓋７１の金属板（又はもう一つの磁気部品）７７上に吸着される。このため、二つの蓋７１と蓋７２に掛け金を取り付けることなく、二つの蓋７１と蓋７２を緊密に組み合わせることができ、光ディスク保管装置の組立機構と操作を有効に簡略化できる。
【００１３】
（実施例３)
実施例３の光ディスク保管装置８０において、図８と図９に示す通り、一つの上蓋８１及び一つの下蓋８２が含まれる。二つの蓋８１と蓋８２の周りに少なくとも一つ以上の互いに引っ掛け合わせるための掛け金８３をそれぞれ取り付ける。実施例３において、二つの蓋８１と蓋８２の周りに三つの互いに引っ掛け合わせるための掛け金８３の例に基づいて説明する。図１０に示す通り、下蓋８２の少なくとも一つ以上の張り出し円柱体８４を設け、張り出し円柱体８４の直径は光ディスク８５の中央位置に開けた基準穴８５１を張り出し円柱体８４の周縁に固設し、その付近の張り出し円柱体８４の中心位置に磁気部品８６を取り付ける。上蓋８１の張り出し円柱体８４に対応する場所に導磁性材質の金属板（又はもう一つの磁気部品）８７を固設する。二つの蓋８１と蓋８２を被せるとき、図９と図１０に示す通り、利用者が上蓋８１を押すことにより、下蓋８２は偏芯状にシフトされ、上蓋８１上の掛け金８３の位置と下蓋８２に対応する掛け金８３とが互いにかみ合う。しかし、互いに適切な間隔Ｇを確保できる。さらに、下蓋８２の磁気部品８６の中心位置は、上蓋８１の金属板（又はもう一つの磁気部品）８７の中心位置と偏芯状況にあるため、磁気部品８６が金属板（又はもう一つの磁気部品）８７に吸着され、二つの蓋８１と蓋８２を正しく被せて一体化するとき、蓋８１と蓋８２の周縁に対応する三つの掛け金８３は互いにかみ合って、図１１に示す通り、二つの蓋８１と蓋８２は掛け金８３によってより緊密に結合して一体化になって、光ディスク保管装置８０の開閉をよりスムーズに行える。
【００１４】
（実施例４)
実施例４の光ディスク保管装置９０において、図１２に示す通り、一つの上蓋９１、１枚以上の吸着能力を有する基準板９３及び一つの下蓋９２が含まれる。二つの蓋９１と蓋９２の一つの端面は、基準板９３の一つの端面と連結し、二つの蓋９１と蓋９２を被せるとき、基準板９３は二つの蓋９１と蓋９２との間に形成される収納空間に収納される。実施例４において、２枚の基準板９３の実施例を説明する。基準板９３の内側に少なくとも一つ以上の張り出し円柱体９４を設け、張り出し円柱体９４の直径は光ディスク９５の中央に設けた基準穴９５１によって張り出し円柱体９４の周縁に固定される。なお、張り出し円柱体９４の中心位置付近の場所に磁気部品を９６を設ける。これにより、隣り合った基準板９３は、磁気部品９６の働きにより確実に吸着される。そして、光ディスク９５を隣り合った蓋と基準板（又は隣り合った基準板）との間に限定し、光ディスクを張り出し円柱体９４より落とさない。
【００１５】
実施例４の光ディスク保管装置９０において、図１２に示す通り、下蓋９２の内側に少なくとも１本以上の張り出し円柱体９４を設けて、張り出し円柱体９４の直径は、光ディスク９５の中央に設けた基準穴９５１によって張り出し円柱体９４の周縁に固定される。なお、張り出し円柱体９４の中心位置付近の場所に磁気部品９６を設ける。これにより、隣り合った基準板９３は、磁気部品９６の働きにより確実に吸着される。上蓋９１の内側は、隣り合った基準板９３の張り出し円柱体９４の場所に対応して、導磁性材質の金属板（又はもう一つの磁気部品）９７を固定して置き、上蓋９１に下蓋９２を被せるとき、磁気部品９６の磁力の働きにより、吸着して下蓋９２に被せられる。
【００１６】
（実施例５)
（１）実施例５の光ディスク保管装置１００において、図１３に示す通り、一つの上蓋１０１及び少なくとも２枚以上の吸着能力を持つ基準板が含まれる。実施例５において、３枚の基準板をもって説明する。上蓋１０１の一端の周縁は第一基準板１０３の一端の周縁と連結し、上蓋１０１は第一基準板１０３に被せることに相応し、その隙間に収納空間を形成する。第一基準板１０３が上蓋１０１に向かう端面に少なくとも１本以上の張り出し円柱体１０４を設けて、張り出し円柱体１０４の直径は光ディスク１０５の中央に設けた基準穴１０５１によって張り出し円柱体１０４の周縁に固定される。なお、張り出し円柱体１０４の中心位置付近の場所に磁気部品を１０６を設ける。上蓋１０１の内側は、隣り合った基準板１０３の張り出し円柱体１０４の場所に対応して、導磁性材質の金属板（又はもう一つの磁気部品）１０７を固定して置き、上蓋１０１を第一基準板１０３に被せるとき、上蓋１０１は磁気部品１０６の磁力働きにより第一基準板１０３に吸着されて一体化となる。第一基準板１０３のもう一つの周縁は第二基準板１１３の一端の周縁と連結し、第一基準板１０３は第二基準板１１３に被せることに相応し、その隙間に収納空間を形成する。第二基準板１１３が第一基準板１０３に向かう端面には、少なくとも１本以上の張り出し円柱体１１４を設ける。張り出し円柱体１１４の直径は、光ディスク１０５の中央に設けた基準穴１０５１によって張り出し円柱体１１４の周縁に固定される。なお、張り出し円柱体１１４の中心位置付近の場所に磁気部品を１１６を設ける。そして、第一基準板１０３を第二基準板１１３に被せるとき、磁気部品１０６と磁気部品１１６が互いに吸着し合って、一体化となる。第二基準板１１３のもう一つの周縁は第三基準板１２３の一端の周縁と連結し、第二基準板１１３は第三基準板１２３上に被せることに相応し、その隙間に収納空間を形成する。第三基準板１２３が第二基準板１１３に向かう端面には少なくとも１本以上の張り出し円柱体１２４を設けて、張り出し円柱体１２４の直径は光ディスク１０５の中央に設けた基準穴１０５１によって張り出し円柱体１２４の周縁に固定される。張り出し円柱体１２４の中央部に磁気部品１２６を取り付ける。このため、第二基準板１１３を第三基準板１２３に被せるとき、磁気部品１１６と磁気部品１２６が互いに吸着し合って一体化となる。さらに、実施例５において、隣り合った基準板は、磁気部品が互いに吸着し合って、光ディスクを固定して置き、張り出し円柱体より落下することがない。
【００１７】
（２）実施例５において、上蓋１０１、基準板１０３、基準板１１３及び基準板１２３の周りに前記した少なくとも一つ以上の互いに引っ掛け合わせるための掛け金をそれぞれ取り付けて（図示されていない）、上蓋１０１、基準板１０３、基準板１１３又は基準板１２３が力の働きにより、隣り合った基準板に対して偏芯的なシフトを引き起こすとき、その上の掛け金は、隣り合った基準板上の対応した掛け金にシフトされ、互いにかみ合う位置となる。このとき、上蓋１０１の金属板１０７の中心位置と第一基準板１０３の磁気部品１０６の中心位置又は隣り合った基準板の磁気部品の中心位置が偏芯状を構成するため、磁気部品が金属板の吸着又は隣り合った磁気部品同士が互いに吸着し合って、上蓋と第一基準板又は隣り合った基準板を正しく被せて一体化し、周縁に取り付けた互いに引っ掛け合わせるための掛け金が互いにかみ合う。
【００１８】
前記した実施例に掲げた磁気部品及び金属板の設計位置や数量は、実務の必要に応じて変更又は調整が可能である。ただし、その変更又は調整の方式を問わず、張り出し円柱体の付近及びその対応位置上において、隣接した筐体又は隣接の筐体と基準板、もしくは、隣接する基準板の間に、磁気の働きにより互いに吸着し合うものは、すべて本発明が主張する範囲に該当することを併せて申し上げる。
【図面の簡単な説明】
【００１９】
【図１】従来のＣＤボックスの斜視図である。
【図２】他の従来のＣＤボックスの斜視図である。
【図３】本発明の実施例１の吸着式光ディスク保管装置を示す斜視図である。
【図４】本発明の実施例１の吸着式光ディスク保管装置の使用形態を示す斜視図である。
【図５】本発明の実施例１の吸着式光ディスク保管装置の他の使用形態示す斜視図である。
【図６】本発明の実施例１の吸着式光ディスク保管装置の他の実施形態を示す斜視図である。
【図７】本発明の実施例２の吸着式光ディスク保管装置を示す断面図である。
【図８】本発明の実施例３の吸着式光ディスク保管装置の開放状態を示す斜視図である。
【図９】本発明の実施例３の吸着式光ディスク保管装置の閉められた状態を示す斜視図である。
【図１０】本発明の実施例３の吸着式光ディスク保管装置の閉められた状態を示す断面図である。
【図１１】本発明の実施例３の吸着式光ディスク保管装置の閉められた状態を示す側面図である。
【図１２】本発明の実施例４の吸着式光ディスク保管装置を示す断面図である。
【図１３】本発明の実施例５の吸着式光ディスク保管装置を示す断面図である。
【符号の説明】
【００２０】
３０  光ディスク保管装置、３１  上蓋、３２  下蓋、３３  光ディスク、３４  張り出し円柱体、３５  磁気部品、７０  光ディスク保管装置、７１  上蓋、７２  下蓋、７３  光ディスク、７４  収納空間、７５  張り出し円柱体、７６  磁気部品、７７  金属板、８０  光ディスク保管装置、８１  上蓋、８２  下蓋、８３  掛け金、８４  張り出し円柱体、８５  光ディスク、８６  磁気部品、８７  金属板、９０  光ディスク保管装置、９１  上蓋、９２  下蓋、９３  基準板、９４  張り出し円柱体、９５  光ディスク、９６  磁気部品、９７  金属板、１００  光ディスク保管装置、１０１  上蓋、１０３  第一基準板、１０４  張り出し円柱体、１０５  光ディスク、１０６  磁気部品、１０７  金属板、１１３  第二基準板、１１４  張り出し円柱体、１１６  磁気部品、１２３  第三基準板、１２４  張り出し円柱体、１２６  磁気部品、３１１  付属蓋、３１２  付属蓋、３３１  基準穴、７３１  基準穴、８５１  基準穴、９５１  基準穴、１０５１  基準穴
【図１】
2005206244.tif 000003
【図２】
2005206244.tif 000004
【図３】
2005206244.tif 000005
【図４】
2005206244.tif 000006
【図５】
2005206244.tif 000007
【図６】
2005206244.tif 000008
【図７】
2005206244.tif 000009
【図８】
2005206244.tif 000010
【図９】
2005206244.tif 000011
【図１０】
2005206244.tif 000012
【図１１】
2005206244.tif 000013
【図１２】
2005206244.tif 000014
【図１３】
2005206244.tif 000015